(57)【要約】【課題】表示部における静電気の帯電を抑制する表示装置を提供する。【解決手段】第１画素を備えた第１表示部と、前記第１表示部の隣に設けられ、第２画素を備えた第２表示部と、前記第１表示部及び前記第２表示部を囲み、前記第１表示部と前記第２表示部との間に設けられた遮光部と、を備え、前記遮光部は、前記第１表示部及び前記第２表示部のうち少なくとも前記第１表示部を囲む第１スリットを有する、表示装置。【選択図】  図１
2020140039.tif 000002
【特許請求の範囲】
【請求項１】
第１画素を備えた第１表示部と、
前記第１表示部の隣に設けられ、第２画素を備えた第２表示部と、
前記第１表示部及び前記第２表示部を囲み、前記第１表示部と前記第２表示部との間に設けられた遮光部と、を備え、
前記遮光部は、前記第１表示部及び前記第２表示部のうち少なくとも前記第１表示部を囲む第１スリットを有する、表示装置。
【請求項２】
前記第１表示部及び前記第２表示部を囲む第１シールと、
前記第１表示部と前記第２表示部との間に位置する第２シールと、を備える、請求項１に記載の表示装置。
【請求項３】
前記遮光部は、前記第１スリットから離間した第２スリットを有し、
前記第１スリットは、前記第１表示部を囲み、
前記第２スリットは、前記第２表示部を囲む、請求項２に記載の表示装置。
【請求項４】
前記第２シールは、前記第１表示部と前記第２表示部とを連通する少なくとも１つの開口を有し、
前記第１スリットは、前記第１表示部の周りと、前記第２表示部の周りと、前記開口に設けられている、請求項２に記載の表示装置。
【請求項５】
前記第１スリットは、前記第１表示部の周りと、前記第２表示部の周りに設けられ、前記第２シールと交差する、請求項２に記載の表示装置。
【請求項６】
さらに、前記第１シールと前記第１表示部との間において、遮光性を有する給電線を備え、
前記給電線は、前記第１シールと前記第１表示部との間に位置する前記第１スリットと重なる、請求項２乃至５の何れか１項に記載の表示装置。
【請求項７】
さらに、前記第１表示部に設けられた画素電極と、
前記第１表示部の周囲に設けられ、前記画素電極から離間した周辺電極と、
前記画素電極及び前記周辺電極の双方に重畳する共通電極と、を備え、
前記周辺電極及び前記共通電極は、前記給電線と電気的に接続され、前記第２シールと前記第１表示部との間において前記第１スリットと重なる、請求項６に記載の表示装置。
【請求項８】
前記第１スリットに重なり積層された第１カラーフィルタ及び第２カラーフィルタを備え、
前記第１カラーフィルタの色は、前記第２カラーフィルタの色とは異なっている、請求項１乃至７の何れか１項に記載の表示装置。
【請求項９】
さらに、第１偏光板及び第２偏光板を備え、
前記第１偏光板の第１偏向軸と前記第２偏光板の第２偏向軸は、クロスニコルである、請求項１乃至８の何れか１項に記載の表示装置。
【請求項１０】
さらに、前記第１表示部及び前記第２表示部に亘って設けられた信号線を備え、
前記信号線は、前記第１表示部と重なり第１幅を有する第１部分と、前記第１表示部と前記第２表示部との間において前記第１スリットと重なり第２幅を有する第２部分と、を有し、
前記第２幅は、前記第１幅より大きい、請求項１乃至９の何れか１項に記載の表示装置。
【請求項１１】
複数の前記第２部分は、第３幅の隙間を置いて隣り合い、
前記第２幅は、前記第３幅よりも大きい、請求項１０に記載の表示装置。
【発明の詳細な説明】
【技術分野】
【０００１】
本発明の実施形態は、表示装置に関する。
【背景技術】
【０００２】
近年、同一基板上に複数の表示部を備えた表示装置が提案されている。各表示部には遮光部が設けられている。遮光部は導電性を有するため、表示装置の外部から遮光部を通じて表示部が帯電することによって、様々な不良を引き起こし表示品質が低下する恐れがある。  
【先行技術文献】
【特許文献】
【０００３】
【特許文献１】特許第６０８０３１６号公報
【発明の概要】
【発明が解決しようとする課題】
【０００４】
本実施形態の目的は、表示部における静電気の帯電を抑制する表示装置を提供することにある。
【課題を解決するための手段】
【０００５】
本実施形態によれば、第１画素を備えた第１表示部と、前記第１表示部の隣に設けられ、第２画素を備えた第２表示部と、前記第１表示部及び前記第２表示部を囲み、前記第１表示部と前記第２表示部との間に設けられた遮光部と、を備え、前記遮光部は、前記第１表示部及び前記第２表示部のうち少なくとも前記第１表示部を囲む第１スリットを有する、表示装置が提供される。
【図面の簡単な説明】
【０００６】
【図１】図１は、本実施形態の表示装置の一構成例を示す平面図である。
【図２】図２は、表示装置の第１の変形例を示す平面図である。
【図３】図３は、表示装置の第２の変形例を示す平面図である。
【図４】図４は、第１基板の主要な構成を説明するための図である。
【図５】図５は、信号線、第２シール、第１スリット及び第２スリットの位置関係を示す平面図である。
【図６】図６は、図５に示した領域Ａを拡大した平面図である。
【図７】図７は、図５に示した領域Ａを拡大した平面図である。
【図８】図８は、図５に示した領域Ａを拡大した平面図である。
【図９】図９は、図５に示した領域Ａを拡大した平面図である。
【図１０】図１０は、図８に示した信号線上のＡ−Ｂ線に沿った表示パネルの断面図である。
【図１１】図１１は、図９に示したＣ−Ｄ線に沿った表示パネルの断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの一構成例を示す平面図である。本実施形態においては、表示装置ＤＳＰの一例として、液晶表示装置について説明する。  
表示装置ＤＳＰは、表示パネルＰＮＬと、ＩＣチップ１と、を備えている。ここでは便宜上、表示パネルＰＮＬの短辺が延びる方向を第１方向Ｘとし、表示パネルＰＮＬの長辺が延びる方向を第２方向Ｙとし、表示パネルＰＮＬの厚さ方向を第３方向Ｚとする。一例では、第１方向Ｘ、第２方向Ｙ、及び、第３方向Ｚは、互いに直交しているが、９０度以外の角度で交差していてもよい。
【０００９】
表示パネルＰＮＬは、画像を表示する第１表示部ＤＡ１及び第２表示部ＤＡ２と、遮光部ＬＳと、を備えている。第１表示部ＤＡ１及び第２表示部ＤＡ２は、第２方向Ｙに並んでいる。第１表示部ＤＡ１は、複数の第１画素ＰＸ１を備えている。第２表示部ＤＡ２は、複数の第２画素ＰＸ２を備えている。複数の第１画素ＰＸ１及び第２画素ＰＸ２は、第１方向Ｘ及び第２方向Ｙにマトリクス状に配置されている。第１画素ＰＸ１及び第２画素ＰＸ２の構成については後述する。図１に示した例では、第１表示部ＤＡ１及び第２表示部ＤＡ２は、いずれも四角形状に形成されているが、角を丸めた四角形状の構成や、辺の一部を中央に向けて凹ませた構成も採用可能であるし、他の多角形状に形成されてもよいし、円形状または楕円形状に形成されてもよい。
【００１０】
遮光部ＬＳは、斜線で示されている。遮光部ＬＳは、第１表示部ＤＡ１及び第２表示部ＤＡ２を合わせて囲む第１遮光部ＬＳ１と、第１表示部ＤＡ１と第２表示部ＤＡ２との間に設けられた第２遮光部ＬＳ２から構成されている。第２遮光部ＬＳ２は、第１遮光部ＬＳ１に繋がっている。図１に示した例では、第１遮光部ＬＳ１は、表示パネルＰＮＬの外縁に沿った枠状に形成されている。また、第２遮光部ＬＳ２は、第１表示部ＤＡ１と第２表示部ＤＡ２の間で第１方向Ｘに沿って延びる直線状に形成されている。第１表示部ＤＡ１及び第２表示部ＤＡ２の各々は、第１遮光部ＬＳ１及び第２遮光部ＬＳ２によって規定されている。
【００１１】
遮光部ＬＳは、第１表示部ＤＡ１を囲む第１スリットＳＬ１と、第２表示部ＤＡ２を囲む第２スリットＳＬ２と、を有している。第２スリットＳＬ２は、第１スリットＳＬ１から離間している。第１スリットＳＬ１及び第２スリットＳＬ２は、それぞれ第１遮光部ＬＳ１及び第２遮光部ＬＳ２の両方に形成され、矩形状に形成されている。
【００１２】
表示パネルＰＮＬは、第１基板ＳＵＢ１と、第２基板ＳＵＢ２と、液晶層ＬＣと、第１シールＳＥ１と、第２シールＳＥ２と、を備えている。第１基板ＳＵＢ１及び第２基板ＳＵＢ２は、第３方向Ｚに重畳している。遮光部ＬＳは第２基板ＳＵＢ２に設けられている。液晶層ＬＣは、液晶分子を含む液晶材料からなり、第１基板ＳＵＢ１と第２基板ＳＵＢ２との間に保持され、第１表示部ＤＡ１及び第２表示部ＤＡ２に設けられている。第１基板ＳＵＢ１と第２基板ＳＵＢ２とのセルギャップは、第１表示部ＤＡ１及び第２表示部ＤＡ２にそれぞれ設けられたスペーサによって形成される。第１シールＳＥ１及び第２シールＳＥ２は、いずれもフィラー（シール内スペーサ）を含み、セルギャップの維持に貢献している。
【００１３】
第１シールＳＥ１は、第１表示部ＤＡ１及び第２表示部ＤＡ２を囲んでいる。より具体的には、第１表示部ＤＡ１と第２表示部ＤＡ２は、互いに隣り合う対向辺Ｓ１１、Ｓ２１と、それ以外の外周辺Ｓ１２、Ｓ２２を備えており、第１シールＳＥ１は、各第１、第２表示部ＤＡ１、ＤＡ２の外周辺Ｓ１２、Ｓ２２に沿って設けられている。第１シールＳＥ１は、その全体が第１遮光部ＬＳ１に重畳し、第１基板ＳＵＢ１と第２基板ＳＵＢ２とを接着するとともに、液晶層ＬＣを封止している。一例では、第１シールＳＥ１は、途切れることなく連続したループ状に形成されている。
【００１４】
第２シールＳＥ２は、第１表示部ＤＡ１と第２表示部ＤＡ２との間に位置している。第２シールＳＥ２は、第１方向Ｘに沿って延びる直線状に形成されている。第２シールＳＥ２は、第２遮光部ＬＳ２に重畳し、第１シールＳＥ１と同様に第１基板ＳＵＢ１と第２基板ＳＵＢ２とを接着している。第２シールＳＥ２は、第１シールＳＥ１に繋がっている。第１シールＳＥ１及び第２シールＳＥ２がディスペンサによって描画される場合、これらの第１シールＳＥ１及び第２シールＳＥ２は、一筆で描画することができる。第１スリットＳＬ１は、第１シールＳＥ１と第１表示部ＤＡ１の外周辺Ｓ１２との間、及び、第２シールＳＥ２と第１表示部ＤＡ１の対向辺Ｓ１１との間に位置している。第２スリットＳＬ２は、第１シールＳＥ１と第２表示部ＤＡ２の外周辺Ｓ２２との間、及び、第２シールＳＥ２と第２表示部ＤＡ２の対向辺Ｓ２１との間に位置している。
【００１５】
第２シールＳＥ２は、第１表示部ＤＡ１と第２表示部ＤＡ２とを連通する少なくとも１つの開口ＯＰを有している。図示した例では、第２シールＳＥ２は、１つの開口ＯＰを有している。開口ＯＰでは、第１表示部ＤＡ１の液晶材料の第２表示部ＤＡ２への移動、あるいは、第２表示部ＤＡ２の液晶材料の第１表示部ＤＡ１への移動が許容される。換言すると、第１表示部ＤＡ１は、第１基板ＳＵＢ１、第２基板ＳＵＢ２、第１シールＳＥ１及び第２シールＳＥ２で囲まれた第１室Ｒ１（図１０参照）を有しており、第２表示部ＤＡ２は、第１基板ＳＵＢ１、第２基板ＳＵＢ２、第１シールＳＥ１及び第２シールＳＥ２で囲まれた第２室Ｒ２（同上）を有している。また、第２シールＳＥ２には、第１室Ｒ１と第２室Ｒ２とを連通する連通路（開口ＯＰ）が形成されており、これら第１室Ｒ１、第２室Ｒ２及び連通路が液晶層ＬＣで充填されている。これによって、液晶層ＬＣの液晶材料は、連通路を通じて第１室Ｒ１から第２室Ｒ２への移動、及び第２室Ｒ２から第１室Ｒ１への移動が可能となる。なお、第２シールＳＥ２の形状は、図示した例に限らない。例えば、第２シールＳＥ２は、第１シールＳＥ１から離間していても良い。
【００１６】
第１基板ＳＵＢ１は、実装部ＭＡを有している。ＩＣチップ１は、実装部ＭＡに実装されている。実装部ＭＡは、点線で示したフレキシブルプリント回路基板２を電気的に接続するための端子部ＴＡを備えている。なお、ＩＣチップ１は、フレキシブルプリント回路基板２に実装されていてもよい。
【００１７】
本実施形態によれば、遮光部ＬＳは、第１表示部ＤＡ１のみを囲む第１スリットＳＬ１と、第２表示部ＤＡ２のみを囲む第２スリットＳＬ２と、を有している。すなわち、遮光部ＬＳは、第１スリットＳＬ１より内側の部分と、第２スリットＳＬ２より内側の部分とが、第１スリットＳＬ１及び第２スリットＳＬ２より外側の部分から分離している。そのため、表示パネルＰＮＬの製造工程や表示装置ＤＳＰの使用中において、外部からの静電気が遮光部ＬＳを通じて第１表示部ＤＡ１及び第２表示部ＤＡ２に到達することを抑制することができる。例えば、製造プロセスにて大型基板を単個の表示パネルに切断する際やパネル検査の際に、第１表示部ＤＡ１や第２表示部ＤＡ２に静電気が帯電してしまうことを抑制することができる。よって、この種の静電気に起因した表示不良を抑制でき、表示品質の低下を抑制することができる。
【００１８】
また、本実施形態の表示パネルＰＮＬは、例えば、第１基板ＳＵＢ１上にループ状の第１シールＳＥ１を形成するとともに直線状の第２シールＳＥ２を形成し、第１シールＳＥ１で囲まれた内側に液晶材料を滴下し、その後、第１基板ＳＵＢ１と第２基板ＳＵＢ２とを第１シールＳＥ１と第２シールＳＥ２によって貼り合わせることで製造される。このとき、第１シールＳＥ１は第２基板ＳＵＢ２に設けられた第１遮光部ＬＳ１に重畳し、第２シールＳＥ２は第２基板ＳＵＢ２に設けられた第２遮光部ＬＳ２に重畳する。液晶材料の滴下量は、第１基板ＳＵＢ１と第２基板ＳＵＢ２とのセルギャップ等に基づいて設定される。液晶材料の滴下工程において、設定値の滴下量に対する各第１、第２表示部ＤＡ１、ＤＡ２の容積（各室の容積）が各表示パネルＰＮＬの個体差によって多少上下に振れても、開口ＯＰを通じて液晶材料の移動が第１表示部ＤＡ１（第１室Ｒ１）と第２表示部ＤＡ２（第２室Ｒ２）との間で可能となるため、第１表示部ＤＡ１及び第２表示部ＤＡ２の各々における液晶材料の体積が均される。これにより、第１表示部ＤＡ１及び第２表示部ＤＡ２における表示品質の差が緩和される。また、滴下量の設定値に対するマージンを拡大することができる。
【００１９】
また、例えば、第１表示部ＤＡ１（第１室Ｒ１）に荷重が加わった場合には、第１表示部ＤＡ１（第１室Ｒ１）の液晶材料が開口ＯＰを通じて第２表示部ＤＡ２（第２室Ｒ２）に向かって移動（流出）し、荷重が解放された後には、第２表示部ＤＡ２（第２室Ｒ２）の液晶材料が開口ＯＰを通じて第１表示部ＤＡ１（第１室Ｒ１）に向かって移動（流入）する。荷重が加わった際に、液晶材料の流出に伴って表示パネルＰＮＬに歪み（セルギャップの局所的な縮小）が生じたとしても、荷重が解放された際には、液晶材料の流入に伴って表示パネルＰＮＬの歪みが解消され、歪む以前のセルギャップに復帰する。このため、荷重が解放された際には、速やかに荷重が加わる前の表示状態に復帰する。
【００２０】
さらに、第１表示部ＤＡ１と第２表示部ＤＡ２との間には、第２シールＳＥ２が設けられているため、表示パネル全体としては表示パネルＰＮＬの中央部にも第１基板ＳＵＢ１と第２基板ＳＵＢ２の接着部が形成されることとなる。このため、表示パネルＰＮＬの中央部（第１表示部ＤＡ１と第２表示部ＤＡ２との間付近）における基板の撓みが抑制される。したがって、表示品質の低下を抑制することができる。
【００２１】
本実施形態においては、図１に後述する如く、各第１、第２表示部ＤＡ１、ＤＡ２にて第１、第２ブラックマトリクスＢＭ１、ＢＭ２が形成されている。かかる点に鑑みると、図１に示す本実施形態の表示装置ＤＳＰは、第１、第２スリットＳＬ１、ＳＬ２の外側となる外側遮光部ＥＬＳと、第１、第２スリットＳＬ１、ＳＬ２の内側となる内側遮光部ＩＬＳとを有している。より具体的には、本実施形態は、内側遮光部ＩＬＳとして、第１スリットＳＬ１の内側であって第１表示部ＤＡ１に設けられる第１内側遮光部ＩＬＳ１と、第２スリットＳＬ２の内側であって第２表示部ＤＡ２に設けられる第２内側遮光部ＩＬＳ２とを備える。
外側遮光部ＥＬＳは、第１表示部ＤＡ１及び第２表示部ＤＡ２の外周辺Ｓ１２及びＳ２２に沿って設けられる外枠ＥＦと、第１表示部ＤＡ１と第２表示部ＤＡ２の対向辺Ｓ１１及びＳ２１に沿って設けられる外ブリッジＥＢＲとを有している。外枠ＥＦは、第１シールＳＬ１を覆って設けられており、外ブリッジＥＢＲは、第２シールＳＬ２及び開口ＯＰを覆って設けられている。
また、第１内側遮光部ＩＬＳ１は、第１スリットＳＬ１に沿って設けられる第１内枠ＩＦ１と、当該第１内枠ＩＦ１内に設けられる第１ブラックマトリクスＢＭ１を備えている。第１ブラックマトリクスＢＭ１は、各画素の画素電極に対向する位置に開口部を有して形成されており、四周が第１内枠ＩＦ１に繋がっている。同様に、第２内側遮光部ＩＬＳ２は、第２スリットＳＬ２に沿って設けられる第２内枠ＩＦ２と、当該第２内枠ＩＦ２内に設けられる第２ブラックマトリクスＢＭ２を備えている。第２ブラックマトリクスＢＭ２は、各画素の画素電極に対向する位置に開口部を有して形成されており、四周が第２内枠ＩＦ２に繋がっている。
また、上記第１遮光部ＬＳ１は、外枠ＥＦと、第１内枠ＩＦ１のうち第１表示部ＤＡ１の外周辺Ｓ１２に対応する部分と、第２内枠ＩＦ２のうち第２表示部ＤＡ２の外周辺Ｓ２２に対応する部分とを含んでいる。また、第２遮光部ＬＳ２は、外ブリッジＥＢＲと、第１内枠ＩＦ１のうち第１表示部ＤＡの対向辺Ｓ１１に対応する部分と、第２内枠ＩＦ２のうち第２表示部ＤＡ２の対向辺Ｓ２１に対応する部分とを含んでいる。第１スリットＳＬ１、第２スリットＳＬ２は第１遮光部ＬＳ１及び第２遮光部ＬＳ２に亘って設けられているのは上記のとおりである。
【００２２】
図２は、表示装置ＤＳＰの第１の変形例を示す平面図である。  
図２に示した構成例は、図１に示した構成例と比較して、第１スリットＳＬ１が第１表示部ＤＡ１及び第２表示部ＤＡ２の両方を囲んでいる点で相違している。より具体的には、第１スリットＳＬ１は、第１表示部ＤＡ１の周りの第１部分ＳＬ１１と、第２表示部ＤＡ２の周りの第２部分ＳＬ１２と、開口ＯＰに位置する第３部分ＳＬ１３と、を有している。第１部分ＳＬ１１は、第１シールＳＥ１と第１表示部ＤＡ１の外周辺Ｓ１２との間と、第２シールＳＥ２と第１表示部ＤＡ１の対向辺Ｓ１１との間に設けられている。第２部分ＳＬ１２は、第１シールＳＥ１と第２表示部ＤＡ２の外周辺Ｓ２２との間、第２シールＳＥ２と第２表示部ＤＡ２の対向辺Ｓ２１との間に設けられている。そして、第３部分ＳＬ１３は、第２遮光部ＬＳ２と重なる位置で、第１部分ＳＬ１１と第２部分ＳＬ１２とを繋いでいる。遮光部ＬＳは、第１スリットＳＬ１より内側の部分が、第１スリットＳＬ１より外側の部分から分離されている。  
このような構成例においても上記したのと同様の効果を得ることができる。
【００２３】
本変形例においても、各第１、第２表示部ＤＡ１、ＤＡ２に対応する部分には第１、第２ブラックマトリクスＢＭ１、ＢＭ２が形成されている。かかる点に鑑みると、図２に示す本実施形態の表示装置ＤＳＰは、第１スリットＳＬ１の外側となる外側遮光部ＥＬＳと、第１スリットＳＬ１の内側となる内側遮光部ＩＬＳとを有している。
外側遮光部ＥＬＳは、第１表示部ＤＡ１及び第２表示部ＤＡ２の外周辺Ｓ１２、Ｓ２２に沿って設けられる外枠ＥＦと、該外枠ＥＦから第１表示部ＤＡ１と第２表示部ＤＡ２の対向辺Ｓ１１、Ｓ２１間に向けて突出する一対の突出部ＰＲを有している。外枠ＥＦは、第１シールＳＥ１を覆って設けられており、突出部ＰＲは、第２シールＳＥ２を覆って設けられている。
また、内側遮光部ＩＬＳは、第１スリットＳＬ１の第１部分ＳＬ１１、第２部分ＳＬ１２及び第３部分ＳＬ１３に沿って設けられる内枠ＩＦと、開口ＯＰに対向して設けられて一方の第３部分ＳＬ１３から他方の第３部分ＳＬ１３まで延在して設けられる中間部ＭＤとを備えると共に、第１表示部ＤＡ１に設けられる第１ブラックマトリクスＢＭ１と、第２表示部ＤＡ２に設けられる第２ブラックマトリクスＢＭ２とを備えている。第１ブラックマトリクスＢＭ１は、各画素の画素電極に対向する位置に開口部を有して形成されており、四周が内枠ＩＦ及び中間部ＭＤに繋がっている。同様に、第２ブラックマトリクスＢＭ２は、各画素の画素電極に対向する位置に開口部を有して形成されており、四周が内枠ＩＦ及び中間部ＭＤに繋がっている。
また、上記第１遮光部ＬＳ１は、外枠ＥＦと、内枠ＩＦのうち第１表示部ＤＡ１の外周辺Ｓ１２に対応する部分と、第２表示部ＤＡ２の外周辺Ｓ２２に対応する部分とを含んでいる。また、第２遮光部ＬＳ２は、突出部ＰＲと、中間部ＭＤと、内枠ＩＦのうち第１表示部ＤＡ１の対向辺Ｓ１１に対応する部分と、内枠ＩＦのうち第２表示部ＤＡ２の対向辺Ｓ２１に対応する部分とを含んでいる。第１、第２スリットＳＬ１、ＳＬ２が第１遮光部ＬＳ１及び第２遮光部ＬＳ２に亘って設けられているのは上記のとおりである。
【００２４】
図３は、表示装置ＤＳＰの第２の変形例を示す平面図である。  
図３に示した構成例は、図１に示した構成例と比較して、第１スリットＳＬ１が第１表示部ＤＡ１及び第２表示部ＤＡ２の両方を囲んでいる点で相違している。第１スリットＳＬ１は、矩形状に形成されている。第１スリットＳＬ１は、第１表示部ＤＡ１の外周辺Ｓ１２と、第２表示部ＤＡ２の外周辺Ｓ２２とを包囲して設けられ、第２シールＳＬ２と交差している。遮光部ＬＳは、第１スリットＳＬ１より内側の部分が、第１スリットＳＬ１より外側の部分から分離されている。  
このような構成例においても上記したのと同様の効果を得ることができる。  
図１乃至図３に示したように、第１スリットＳＬ１は、第１表示部ＤＡ１及び第２表示部ＤＡ２のうち少なくとも第１表示部ＤＡ１を囲んでいれば良い。
【００２５】
本変形例においても、各第１、第２表示部ＤＡ１、ＤＡ２に対応する部分には第１、第２ブラックマトリクスＢＭ１、ＢＭ２が形成されている。かかる点に鑑みると、図３に示す本実施形態の表示装置ＤＳＰは、第１スリットＳＬ１の外側となる外側遮光部ＥＬＳと、第１スリットＳＬ１の内側となる内側遮光部ＩＬＳとを有している。
外側遮光部ＥＬＳは、第１表示部ＤＡ１及び第２表示部ＤＡ２の外周辺Ｓ１２及びＳ２２に沿って設けられる外枠ＥＦを有している。外枠ＥＦは、第１シールＳＥ１を覆って設けられている。
また、内側遮光部ＩＬＳは、第１スリットＳＬ１に沿って設けられる内枠ＩＦと、第１表示部ＤＡ１及び第２表示部ＤＡ２の各対向辺Ｓ１１及びＳ２１に沿って設けられる内ブリッジＩＢＲを備えると共に、第１表示部ＤＡ１に設けられる第１ブラックマトリクスＢＭ１と、第２表示部ＤＡ２に設けられる第２ブラックマトリクスＢＭ２とを備えている。第１ブラックマトリクスＢＭ１は、各画素の画素電極に対向する位置に開口部を有して形成されており、四周が内枠ＩＦ及び内ブリッジＩＢＲに繋がっている。同様に、第２ブラックマトリクスＢＭ２は、各画素の画素電極に対向する位置に開口部を有して形成されており、四周が内枠ＩＦ及び内ブリッジＩＢＲに繋がっている。
また、上記第１遮光部ＬＳ１は、外枠ＥＦと、内枠ＩＦうち第１表示部ＤＡ１の外周辺Ｓ１２に対応する部分と、第２表示部ＤＡ２の外周辺Ｓ２２に対応する部分とを含んでいる。また、第２遮光部ＬＳ２は、内ブリッジＩＢＲを含んでいる。また、本変形例では、第１スリットＳＬ１が第２シールＳＥ２と交差した状態に設けられている。
【００２６】
図４は、第１基板ＳＵＢ１の主要な構成を説明するための図である。  
第１基板ＳＵＢ１は、第１表示部ＤＡ１に設けられた複数の走査線Ｇ１と、第２表示部ＤＡ２に設けられた複数の走査線Ｇ２と、第１表示部ＤＡ１及び第２表示部ＤＡ２に亘って設けられた複数の信号線Ｓと、を備えている。
【００２７】
第１基板ＳＵＢ１は、第１表示部ＤＡ１に近接して設けられたゲートドライバＧＤ１１及びＧＤ１２と、第２表示部ＤＡ２に近接して設けられたゲートドライバＧＤ２１及びＧＤ２２と、を備えている。ゲートドライバＧＤ１１及びＧＤ２１は、互いにバス配線Ｂ１を介して接続されている。ゲートドライバＧＤ１２及びＧＤ２２は、互いにバス配線Ｂ２を介して接続されている。バス配線Ｂ１及びＢ２は、例えばＩＣチップ１と電気的に接続されている。バス配線Ｂ１及びＢ２の各々は、例えば、スタートパルスを供給するための配線、クロックを供給するための配線、高電位電源線（ＶＧＨ）、低電位電源線（ＶＧＬ）などを含んでいる。バス配線Ｂ１のうち、ゲートドライバＧＤ１１とゲートドライバＧＤ２１との間の領域を中継部ＢＲ１と称する。また、バス配線Ｂ２のうち、ゲートドライバＧＤ１２とゲートドライバＧＤ２２との間の領域を中継部ＢＲ２と称する。これらの中継部ＢＲ１及びＢＲ２には、回路構成が含まれない。図１等に示した第１遮光部ＬＳ１及び第２遮光部ＬＳ２と、ゲートドライバＧＤ１２及びＧＤ２２との関係性について着目する。ゲートドライバＧＤ１２及びＧＤ２２は、第１遮光部ＬＳ１と重畳している。中継部ＢＲ２は、第１遮光部ＬＳ１と第２遮光部ＬＳ２との接続部（交差部）に設けられている。このような接続部付近には、ゲートドライバＧＤ１２及びＧＤ２２のいずれの回路構成も設けられていない。なお、中継部ＢＲ１も同様に、接続部に設けられている。  
複数の走査線Ｇ１は、ゲートドライバＧＤ１１及びＧＤ１２の少なくとも一方と電気的に接続されている。複数の走査線Ｇ２は、ゲートドライバＧＤ２１及びＧＤ２２の少なくとも一方と電気的に接続されている。
【００２８】
ＩＣチップ１は、ディスプレイドライバＤＤを内蔵している。ディスプレイドライバＤＤは、画像を表示する画像表示モードにおいて映像信号等の画像表示に必要な信号を表示パネルＰＮＬに出力する。複数の信号線Ｓは、ディスプレイドライバＤＤと電気的に接続されている。信号線Ｓの各々は、第１画素ＰＸ１及び第２画素ＰＸ２とそれぞれ電気的に接続されている。
【００２９】
例えば、第１画素ＰＸ１において、第１基板ＳＵＢ１は、スイッチング素子ＳＷ１と、画素電極ＰＥ１と、を備えている。スイッチング素子ＳＷ１は、走査線Ｇ１及び信号線Ｓと電気的に接続されている。画素電極ＰＥ１は、スイッチング素子ＳＷ１と電気的に接続されている。また、第１基板ＳＵＢ１は、共通電極ＣＥ１を備えている。共通電極ＣＥ１は、複数の第１画素ＰＸ１に対して共通に設けられている。なお、共通電極ＣＥ１は、第２基板ＳＵＢ２に設けられていてもよい。容量ＣＳ１は、例えば、共通電極ＣＥ１と同電位の電極、及び、画素電極ＰＥ１と同電位の電極の間に形成される。第１表示部ＤＡ１においては、液晶層ＬＣは、画素電極ＰＥ１と共通電極ＣＥ１との間に生じる電界によって駆動される。
【００３０】
第２画素ＰＸ２において、第１基板ＳＵＢ１は、スイッチング素子ＳＷ２と、画素電極ＰＥ２と、を備えている。スイッチング素子ＳＷ２は、走査線Ｇ２及び信号線Ｓと電気的に接続されている。画素電極ＰＥ２は、スイッチング素子ＳＷ２と電気的に接続されている。また、第１基板ＳＵＢ１は、共通電極ＣＥ２を備えている。共通電極ＣＥ２は、複数の第２画素ＰＸ２に対して共通に設けられている。なお、共通電極ＣＥ２は、第２基板ＳＵＢ２に設けられていてもよい。容量ＣＳ２は、例えば、共通電極ＣＥ２と同電位の電極、及び、画素電極ＰＥ２と同電位の電極の間に形成される。第２表示部ＤＡ２においては、液晶層ＬＣは、画素電極ＰＥ２と共通電極ＣＥ２との間に生じる電界によって駆動される。なお、第１画素ＰＸ１及び第２画素ＰＸ２は、それぞれカラーフィルタを備えるが、これらのカラーフィルタは第１基板ＳＵＢ１に設けられてもよいし、第２基板ＳＵＢ２に設けられてもよい。
【００３１】
図５は、信号線Ｓ、第２シールＳＥ２、第１スリットＳＬ１及び第２スリットＳＬ２の位置関係を示す平面図である。  
信号線Ｓの各々は、第２遮光部ＬＳ２と交差し、第１表示部ＤＡ１及び第２表示部ＤＡ２に亘って途切れることなく設けられている。複数の信号線Ｓのうち、第１信号線Ｓ１は、第２遮光部ＬＳ２において、第２シールＳＥ２の開口ＯＰと重畳している。また、第２信号線Ｓ２は、第２遮光部ＬＳ２において、第２シールＳＥ２と交差している。図示した例では、第１信号線Ｓ１及び第２信号線Ｓ２は、第２遮光部ＬＳ２において、第１スリットＳＬ１及び第２スリットＳＬ２と交差している。  
なお、第２遮光部ＬＳ２及び第２シールＳＥ２に重畳する走査線は設けられていない。あるいは、第２遮光部ＬＳ２及び第２シールＳＥ２に重畳する領域では、信号線Ｓと交差する配線は設けられていない。
【００３２】
図６は、図５に示した領域Ａを拡大した平面図である。図６は、遮光部ＬＳと、カラーフィルタＣＦを図示している。  
図６において、遮光部ＬＳは、実線で示されている。第１遮光部ＬＳ１は、第１表示部ＤＡ１に設けられた第１ブラックマトリクスＢＭ１、及び、第２表示部ＤＡ２に設けられた第２ブラックマトリクスＢＭ２とそれぞれ繋がっている。第１、第２ブラックマトリクスＢＭ１、ＢＭ２は、第１方向Ｘに沿って延出している。第１ブラックマトリクスＢＭ１は、図４等に示した走査線Ｇ１と重畳するように設けられている。第２ブラックマトリクスＢＭ２は、走査線Ｇ２と重畳するように設けられている。
【００３３】
カラーフィルタＣＦは、カラーフィルタＣＦ１、ＣＦ２、ＣＦ３によって構成されている。カラーフィルタＣＦ１、ＣＦ２、ＣＦ３は、第１表示部ＤＡ１及び第２表示部ＤＡ２に配置され、第１方向Ｘに並び第２方向Ｙに延出している。カラーフィルタＣＦ１、ＣＦ２、ＣＦ３は、第１表示部ＤＡ１において第１ブラックマトリクスＢＭ１と交差し、第２表示部ＤＡ２において第２ブラックマトリクスＢＭ２と交差している。カラーフィルタＣＦ１、ＣＦ２、ＣＦ３は、それぞれ異なる色のカラーフィルタである。例えば、カラーフィルタＣＦ１は赤色のカラーフィルタであり、カラーフィルタＣＦ２は緑色のカラーフィルタであり、カラーフィルタＣＦ３は青色のカラーフィルタである。カラーフィルタＣＦ１及びＣＦ３は、第１スリットＳＬ１及び第２スリットＳＬ２に重なって積層されている。そのため、第１スリットＳＬ１及び第２スリットＳＬ２からの光抜けを著しく低減することができる。
【００３４】
図７は、図５に示した領域Ａを拡大した平面図である。図７は、遮光部ＬＳと、信号線Ｓと、給電線Ｆを図示している。  
信号線Ｓは、第１表示部ＤＡ１において第１ブラックマトリクスＢＭ１と交差し、第２遮光部ＬＳ２と交差し、さらに、第２表示部ＤＡ２において第２ブラックマトリクスＢＭ２と交差している。信号線Ｓは、第１表示部ＤＡ１及び第２表示部ＤＡ２と重なる第１部分ＳＡと、第１表示部ＤＡ１と第２表示部ＤＡ２との間において第１スリットＳＬ１及び第２スリットＳＬ２と重なる第２部分ＳＢと、を有している。第１部分ＳＡは幅（第１幅）Ｗ１１を有し、第２部分ＳＢは幅（第２幅）Ｗ１２を有している。幅Ｗ１２は、幅Ｗ１１よりも大きい。第２部分ＳＢは、第２シールＳＥ２と第１表示部ＤＡ１との間に位置する第１スリットＳＬ１と重なり、第２シールＳＥ２と第２表示部ＤＡ２との間に位置する第２スリットＳＬ２と重なっている。複数の第２部分ＳＢは、幅（第３幅）Ｗ１３の隙間を置いて隣り合っている。幅Ｗ１２は、幅Ｗ１３よりも大きい。すなわち、信号線Ｓは、第１スリットＳＬ１及び第２スリットＳＬ２と重なる位置において、線幅が拡張されているため、第１スリットＳＬ１及び第２スリットＳＬ２からの光漏れを低減させることができる。
【００３５】
また、各信号線Ｓは、第２部分ＳＢにて線幅が拡張されることによって配線抵抗が低減される。また、図５を参照して説明した通り、第２遮光部ＬＳ２に重畳する領域では、信号線Ｓと交差する配線が設けられていないため、信号線Ｓの線幅が拡張されても、その種の配線との間の寄生容量を考慮する必要がない。
【００３６】
第１遮光部ＬＳ１と重畳する領域には、第１共通電極ＣＥ１及び第２共通電極ＣＥ２にコモン電位を供給するための給電線Ｆが設けられている。給電線Ｆは、後述するが、例えば信号線Ｓと同一層に設けられている。給電線Ｆは、第１シールＳＥ１と第１表示部ＤＡ１との間、及び、第１シールＳＥ１と第２表示部ＤＡ２との間に位置している。給電線Ｆは、遮光性を有している。また、給電線Ｆは、第１シールＳＥ１と第１表示部ＤＡ１との間に位置する第１スリットＳＬ１と重なり、第１シールＳＥ１と第２表示部ＤＡ２との間に位置する第２スリットＳＬ２と重なっている。そのため、第１スリットＳＬ１及び第２スリットＳＬ２からの光漏れを低減させることができる。
【００３７】
図８は、図５に示した領域Ａを拡大した平面図である。図８は、図７に示した構成に加えて、第１画素電極ＰＥ１、第２画素電極ＰＥ２、第１周辺電極ＴＦ１、第２周辺電極ＴＦ２等を図示している。  
第１基板ＳＵＢ１は、第１周辺電極ＴＦ１と、第２周辺電極ＴＦ２と、第１表示部ＤＡ１に設けられた第１画素電極ＰＥ１と、第２表示部ＤＡ２に設けられた第２画素電極ＰＥ２と、を備えている。第１周辺電極ＴＦ１及び第２周辺電極ＴＦ２の各々は、第１遮光部ＬＳ１及び第２遮光部ＬＳ２に重畳している。第２周辺電極ＴＦ２は、第１周辺電極ＴＦ１から離間している。第１周辺電極ＴＦ１の一部、及び、第２周辺電極ＴＦ２の一部は、それぞれ給電線Ｆに重畳している。また、第１周辺電極ＴＦ１は、第１スリットＳＬ１に重畳し、第２周辺電極ＴＦ２は、第２スリットＳＬ２に重畳している。
【００３８】
第１周辺電極ＴＦ１は、第１表示部ＤＡ１の周囲に設けられ、第１画素電極ＰＥ１から離間している。第１周辺電極ＴＦ１は、第１表示部ＤＡ１に隣接する側において、第１画素電極ＰＥ１と同様の形状のダミーパターンＤＰ１を有している。ダミーパターンＤＰ１は、第１画素電極ＰＥ１に並んで配置されている。すなわち、第１方向Ｘの並びにおいては、第１表示部ＤＡ１で最も外側の第１画素電極ＰＥ１に並んでダミーパターンＤＰ１が形成されている。同様に、第２方向Ｙの並びも同様である。このように、第１周辺電極ＴＦ１は、第１表示部ＤＡ１の外周辺Ｓ１２及び対向辺Ｓ１１に沿って、第１画素電極ＰＥ１の並びに対応させた複数のダミーパターンＤＰ１を有している。第２周辺電極ＴＦ２は、第２表示部ＤＡ２の周囲に設けられ、第２画素電極ＰＥ２から離間している。第２周辺電極ＴＦ２は、第２表示部ＤＡ２に隣接する側において、第２画素電極ＰＥ２と同様の形状のダミーパターンＤＰ２を有している。第２表示部ＤＡ２におけるダミーパターンＤＰ２と第２画素電極ＰＥ２との関係は第１表示部ＤＡ１と同様である。ダミーパターンＤＰ１及びＤＰ２は、いずれも第１遮光部ＬＳ１及び第２遮光部ＬＳ２に重畳している。
【００３９】
また、図８に示す如く、第１表示部ＤＡ１には第１ブラックマトリクスＢＭ１が設けられている。第１ブラックマトリクスＢＭ１は走査線Ｇを覆うように第１方向Ｘに延在しつつ、信号線Ｓを覆うように第２方向Ｙにも延在して形成され、第１画素電極ＰＥ１と対向する部分に開口部を有するメッシュ状に形成されている。第２ブラックマトリクスＢＭ２も第１ブラックマトリクスＢＭ１と同様の構成を有する。
【００４０】
各第１、第２ブラックマトリクスＢＭ１、ＢＭ２の開口部の大きさは、画素ごとに異なる。より具体的には、第２方向Ｙで見た場合の第１、第２ブラックマトリクスＢＭ１、ＢＭ２の隣接画素間の間隔は画素列ごとに異なる。これに対し、第２遮光部ＬＳ２の幅は、当該隣接画素間の第１、第２ブラックマトリクスＢＭ１、ＢＭ２の幅のうち最大のものよりも十分に大きく、当該隣接画素間幅の１０〜２００倍の程度の大きさ（或いは第２方向Ｙに並ぶ同数程度の画素の合計幅相当の大きさ）を有している。また、第２遮光部ＬＳ２は、第１方向Ｘに延在する第１、第２スリットＳＬ１、ＳＬ２を有している。かかる第１、第２スリットＳＬ１、ＳＬ２は、各第１、第２表示部ＤＡ１、ＤＡ２の一方側部から他方側部に向けて同一幅で形成されており、その第１方向Ｘの長さは第１表示部ＤＡ１及び第２表示部ＤＡ２の第１方向Ｘの長さよりも大きい。一方、第１、第２ブラックマトリクスＢＭ１、ＢＭ２には、これら第１、第２スリットＳＬ１、ＳＬ２の如く第１方向Ｘの一方の表示端から他方の表示端に亘って延在するスリットは存在しない。
【００４１】
図９は、図５に示した領域Ａを拡大した平面図である。図９は、図８に示した構成に加えて、第１共通電極ＣＥ１、第２共通電極ＣＥ２等を図示している。  
第１共通電極ＣＥ１は、第１表示部ＤＡ１において第１画素電極ＰＥ１に重畳している。第１共通電極ＣＥ１は、第１表示部ＤＡ１において、スリットＳＬ１１を有している。スリットＳＬ１１は、第１ブラックマトリクスＢＭ１に重畳するように設けられている。また、第１共通電極ＣＥ１は、ダミーパターンＤＰ１を含む第１周辺電極ＴＦ１に重畳している。第１周辺電極ＴＦ１及び第１共通電極ＣＥ１は、第１遮光部ＬＳ１及び第２遮光部ＬＳ２に重畳している。また、第１周辺電極ＴＦ１及び第１共通電極ＣＥ１は、第２シールＳＥ２と第１表示部ＤＡ１との間において第１スリットＳＬ１と重なっている。第１遮光部ＬＳ１に重畳する第１接続部ＣＮ１において、給電線Ｆ、第１共通電極ＣＥ１、及び、第１周辺電極ＴＦ１は、互いに電気的に接続されている。つまり、第１周辺電極ＴＦ１は、第１共通電極ＣＥ１と同電位である。
【００４２】
このように、第１表示部ＤＡ１の周囲においては、第１周辺電極ＴＦ１のダミーパターンＤＰ１と第１共通電極ＣＥ１とが重畳し、第１表示部ＤＡ１の表示状態に拘わらずこれらが常に同電位である。すなわち、遮光部ＬＳのうち特に第１表示部ＤＡ１に近接した領域では液晶分子が初期配向状態に維持される。第１画素電極ＰＥ１と第１共通電極ＣＥ１との間に電位差がない状態で黒を表示するノーマリーブラックモードにおいては、第１表示部ＤＡ１の周囲では、黒が表示される状態に維持されている。そのため、第１スリットＳＬ１のうち第１周辺電極ＴＦ１及び第１共通電極ＣＥ１と重なる部分の光漏れを抑制することができる。
【００４３】
第２共通電極ＣＥ２は、第１共通電極ＣＥ１から離間している。第２共通電極ＣＥ２は、第２表示部ＤＡ２において第２画素電極ＰＥ２に重畳している。第２共通電極ＣＥ２は、第２表示部ＤＡ２において、スリットＳＬ１２を有している。スリットＳＬ１２は、第２ブラックマトリクスＢＭ２に重畳するように設けられている。また、第２共通電極ＣＥ２は、ダミーパターンＤＰ２を含む第２周辺電極ＴＦ２に重畳している。第２周辺電極ＴＦ２及び第２共通電極ＣＥ２は、第１遮光部ＬＳ１及び第２遮光部ＬＳ２に重畳している。また、第２周辺電極ＴＦ２及び第２共通電極ＣＥ２は、第２シールＳＥ２と第２表示部ＤＡ２との間において第２スリットＳＬ２と重なっている。第１遮光部ＬＳ１に重畳する第２接続部ＣＮ２において、給電線Ｆ、第２共通電極ＣＥ２、及び、第２周辺電極ＴＦ２は、互いに電気的に接続されている。第２表示部ＤＡ２の周囲においても、第２周辺電極ＴＦ２のダミーパターンＤＰ２と第２共通電極ＣＥ２とが重畳し、これらが同電位であるため、液晶分子が初期配向状態に維持される。つまり、第２表示部ＤＡ２の周囲でも、黒が表示される状態に維持されている。そのため、第２スリットＳＬ２のうち第２周辺電極ＴＦ２及び第２共通電極ＣＥ２と重なる部分の光漏れを抑制することができる。
【００４４】
図１０は、図８に示した信号線Ｓ上のＡ−Ｂ線に沿った表示パネルＰＮＬの断面図である。  
第１基板ＳＵＢ１は、絶縁基板１０、絶縁膜１１乃至１３、信号線Ｓ、金属配線Ｍ１及びＭ２、第１共通電極ＣＥ１、第２共通電極ＣＥ２、第１周辺電極ＴＦ１、第２周辺電極ＴＦ２、配向膜ＡＬ１などを備えている。なお、図４に示した走査線Ｇ１及びＧ２、及び、スイッチング素子ＳＷ１及びＳＷ２は、絶縁基板１０と絶縁膜１１との間に設けられている。信号線Ｓは、絶縁膜１１及び１２の間に設けられている。金属配線Ｍ１及びＭ２は、絶縁膜１２及び１３の間に設けられている。なお、図８及び図９においては、金属配線Ｍ１及びＭ２の図示を省略したが、金属配線Ｍ１及びＭ２は、第２方向Ｙに沿って延出し、信号線Ｓに重畳するように設けられている。金属配線Ｍ１は、スリットＳＬ１１と交差し、第１共通電極ＣＥ１に接している。これにより、スリットＳＬ１１を介して第２方向Ｙに並んだ第１共通電極ＣＥ１が金属配線Ｍ１によって互いに電気的に接続され、第１共通電極ＣＥ１が低抵抗化される。スリットＳＬ１１においては、絶縁膜１３が金属配線Ｍ１を覆っている。また、金属配線Ｍ２は、スリットＳＬ１２と交差し、第２共通電極ＣＥ２に接している。これにより、第２方向Ｙに並んだ第２共通電極ＣＥ２が金属配線Ｍ２によって互いに電気的に接続され、第２共通電極ＣＥ２が低抵抗化される。スリットＳＬ１２においては、絶縁膜１３が金属配線Ｍ２を覆っている。金属配線Ｍ１及びＭ２は、同一の信号線Ｓに重畳しているが、第１表示部ＤＡ１と第２表示部ＤＡ２との間で途切れている。なお、これら金属配線Ｍ１、Ｍ２が接続されている（接続された結果１本の金属配線となっている）構成も採用可能である。
【００４５】
第１周辺電極ＴＦ１及び第２周辺電極ＴＦ２は、絶縁膜１３及び配向膜ＡＬ１の間に設けられている。図１０に示した断面において、第１共通電極ＣＥ１と第１周辺電極ＴＦ１との間、及び、第２共通電極ＣＥ２と第２周辺電極ＴＦ２との間には、絶縁膜１３が介在している。
【００４６】
第２基板ＳＵＢ２は、絶縁基板２０、第１、第２ブラックマトリクスＢＭ１及びＢＭ２、第２遮光部ＬＳ２、カラーフィルタＣＦ１、ＣＦ２、ＣＦ３、オーバーコート層ＯＣ、配向膜ＡＬ２、スペーサＳＰなどを備えている。カラーフィルタＣＦ３は第１スリットＳＬ１及び第２スリットＳＬ２内に位置し、カラーフィルタＣＦ１は、第１スリットＳＬ１及び第２スリットＳＬ２と重なる位置で、カラーフィルタＣＦ３に積層されている。異なる色のカラーフィルタＣＦ１及びＣＦ３が第３方向Ｚに重なっているため、第１スリットＳＬ１及び第２スリットＳＬ２からの光漏れを抑制することができる。当該第１、第２スリットＳＬ１、ＳＬ２に重なるカラーフィルタＣＦは１層又は３層を採用することができる。また、２層であっても、図１０に示される組合せ以外の組合せも採用可能である。また、スペーサＳＰと重なる位置に、スペーサＳＰの高さ調整のためにカラーフィルタＣＦ２が位置している。カラーフィルタＣＦ２に代えてカラーフィルタＣＦ１、ＣＦ３を採用することや、これらカラーフィルタのいくつかを積層した構成を採用可能であることはもちろんである。
【００４７】
絶縁基板１０及び２０は、ガラス基板や樹脂基板などの透明な基板である。絶縁膜１１及び１３は、透明な無機絶縁膜である。絶縁膜１２及びオーバーコート層ＯＣは、透明な有機絶縁膜である。信号線Ｓ、及び、金属配線Ｍ１及びＭ２は、不透明な金属材料によって形成されている。第１共通電極ＣＥ１、第２共通電極ＣＥ２、第１周辺電極ＴＦ１、及び、第２周辺電極ＴＦ２は、透明な導電材料によって形成されている。
【００４８】
第２シールＳＥ２は、第２遮光部ＬＳ２の直下において、第１共通電極ＣＥ１と第２共通電極ＣＥ２との間に設けられている。あるいは、第２シールＳＥ２は、第１周辺電極ＴＦ１と第２周辺電極ＴＦ２との間に設けられている。第２シールＳＥ２は、上記の通り、シール内スペーサＳＳ（あるいはフィラーと称する場合も有る）を含んでいる。第２シールＳＥ２は、配向膜ＡＬ１及びＡＬ２にそれぞれ接している。なお、フィラーの粒径は適宜選択可能であって、第１基板ＳＵＢ１と第２基板ＳＵＢ２間の間隔（セルギャップともいう）相当の粒径のものを採用することができることはもちろん、それよりも小さい粒径を有する構成も採用可能である。また、フィラーを含まないシールも採用可能である。  
図１０に示した例では、絶縁膜１２は、第１表示部ＤＡ１と第２表示部ＤＡ２との間に凹部１２Ｃを有している。つまり、絶縁膜１２は、その一部が薄膜化されている。第２シールＳＥ２は、凹部１２Ｃに重畳するように設けられている。このため、第２シールＳＥ２が形成された際に、第１表示部ＤＡ１及び第２表示部ＤＡ２への広がりが抑制される。また、表示パネルＰＮＬの中央部に荷重が加わった場合に、第２シールＳＥ２の第１表示部ＤＡ１側へのズレあるいは第２表示部ＤＡ２側へのズレが抑制される。また、第２シールＳＥ２の下方を第１表示部ＤＡ１から第２表示部ＤＡ２に向けて信号線Ｓが通過している。
【００４９】
第１光学素子ＯＤ１は絶縁基板１０に接着され、第２光学素子ＯＤ２は絶縁基板２０に接着されている。第１光学素子ＯＤ１及び第２光学素子ＯＤ２の各々は、少なくとも第１偏光板ＰＬ１及び第２偏光板ＰＬ２を備え、必要に応じて位相差板等を含んでいてもよい。第１偏光板ＰＬ１の第１偏向軸ＡＸ１と第２偏光板ＰＬ２の第２偏向軸ＡＸ２は、クロスニコルである。液晶オフ時において、第１偏光板ＰＬ１を透過し表示パネルＰＮＬに入射した光は、第１偏光軸ＡＸ１と直交する直線偏光である。直線偏光の偏光状態は、オフ時の液晶層ＬＣを通過した際にほとんど変化しない。このため、表示パネルＰＮＬを透過した直線偏光は、第１偏光板ＰＬ１に対してクロスニコルの位置関係にある第２偏光板ＰＬ２によって吸収される。よって、上記したように、第１周辺電極ＴＦ１及び第２周辺電極ＴＦ２と重なる位置では黒表示を実現することができ、第１スリットＳＬ１及び第２スリットＳＬ２からの光漏れを抑制することができる。レイアウトの都合上、遮光性を有する金属配線等を第１スリットＳＬ１及び第２スリットＳＬ２と重なる位置に配置できない場合にも、第１周辺電極ＴＦ１、第２周辺電極ＴＦ２によって遮光することができる。また、積層されたカラーフィルタＣＦ１及びＣＦ３によって、遮光しきれなかった場合にも、第１周辺電極ＴＦ１及び第２周辺電極ＴＦ２によって第１スリットＳＬ１及び第２スリットＳＬ２からの光漏れを抑制することができる。
【００５０】
図１１は、図９に示したＣ−Ｄ線に沿った表示パネルＰＮＬの断面図である。  
第１基板ＳＵＢ１において、スイッチング素子のドレイン電極ＤＥ、給電線Ｆ、及び、バス配線Ｂ１は、信号線Ｓと同様に、絶縁膜１１及び１２の間に設けられている。金属配線Ｍ１は、信号線Ｓに重畳するように設けられている。第１共通電極ＣＥ１は、第１接続部ＣＮ１において、給電線Ｆに接し、互いに電気的に接続されている。第１周辺電極ＴＦ１は、第１接続部ＣＮ１において、第１共通電極ＣＥ１に接し、互いに電気的に接続されている。第１画素電極ＰＥ１は、第１周辺電極ＴＦ１と同様に、絶縁膜１３と配向膜ＡＬ１との間に設けられている。なお、図示しない第２表示部ＤＡ２においては、第２画素電極ＰＥ２も、絶縁膜１３と配向膜ＡＬ１との間に設けられている。第１画素電極ＰＥ１及び第２画素電極ＰＥ２は、第１周辺電極ＴＦ１と同一材料である透明な導電材料によって形成されている。第１画素電極ＰＥ１は、スイッチング素子のドレイン電極ＤＥに接し、互いに電気的に接続されている。第１スペーサＳＰ１は、第１画素電極ＰＥ１とドレイン電極ＤＥとの接続部に設けられている。
【００５１】
第２基板ＳＵＢ２において、第１遮光部ＬＳ１は、第２遮光部ＬＳ２と同様に、絶縁基板２０とオーバーコート層ＯＣとの間に設けられている。カラーフィルタＣＦの一部は第２遮光部ＬＳ２に重畳している。第２スペーサＳＰ２は、第１スペーサＳＰ１に接するように設けられている。これらの第１スペーサＳＰ１及び第２スペーサＳＰ２は、セルギャップを形成している。
【００５２】
第１シールＳＥ１は、第１遮光部ＬＳ１の直下に設けられ、配向膜ＡＬ１及びＡＬ２にそれぞれ接している。第１シールＳＥ１は、第２シールＳＥ２と同様に、シール内スペーサＳＳを含んでいる。遮光部ＬＳの第１スリットＳＬ１と重なる位置には、カラーフィルタＣＦ１、ＣＦ３と、給電線Ｆが位置している。これらが重畳して配置されることにより、第１スリットＳＬ１からの光漏れは著しく抑制される。
【００５３】
以上説明したように、本実施形態によれば、２つの第１、第２表示部ＤＡ１、ＤＡ２を有する表示パネルＰＮＬにおいて、これら第１、第２表示部ＤＡ１、ＤＡ２に亘って遮光部ＬＳが設けられているが、当該遮光部ＬＳにおいて夫々の第１、第２表示部ＤＡ１、ＤＡ２毎に包囲する第１、第２スリットＳＬ１、ＳＬ２、及び、両第１、第２表示部ＤＡ１、ＤＡ２をまとめて包囲するスリット（第１スリットＳＬ１）が設けられている。これによって遮光部ＬＳを通じた静電気の各第１、第２表示部ＤＡ１、ＤＡ２への到達が抑制される。この結果、表示品質の低下を抑制する表示装置を得ることができる。  
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。例えば３つ目の表示部をさらに設ける構成も採用可能である。これらの実施形態やその変形は、発明の範囲や要旨に含まれるとともに、特許請求の範囲に記載された発明とその均等の範囲に含まれる。
【符号の説明】
【００５４】
ＤＳＰ…表示装置、ＰＸ１…第１画素、ＰＸ２…第２画素、
ＤＡ１…第１表示部、ＤＡ２…第２表示部、ＬＳ…遮光部、
ＳＬ１…第１スリット、ＳＬ２…第２スリット、
ＳＥ１…第１シール、ＳＥ２…第２シール、ＯＰ…開口、
Ｆ…給電線、ＰＥ１…第１画素電極、ＰＥ２…第２画素電極、
ＴＦ１…第１周辺電極、ＴＦ２…第２周辺電極、
ＣＥ１…第１共通電極、ＣＥ２…第２共通電極、
ＣＦ１、ＣＦ２、ＣＦ３…カラーフィルタ、
ＰＬ１…第１偏光板、ＰＬ２…第２偏光板、ＡＸ１…第１偏向軸、ＡＸ２…第２偏向軸、
Ｓ…信号線、ＳＡ…第１部分、ＳＢ…第２部分、Ｗ１１、Ｗ１２、Ｗ１３、Ｗ１４…幅。
【図１】
2020140039.tif 000003
【図２】
2020140039.tif 000004
【図３】
2020140039.tif 000005
【図４】
2020140039.tif 000006
【図５】
2020140039.tif 000007
【図６】
2020140039.tif 000008
【図７】
2020140039.tif 000009
【図８】
2020140039.tif 000010
【図９】
2020140039.tif 000011
【図１０】
2020140039.tif 000012
【図１１】
2020140039.tif 000013